(57)【要約】【課題】プリント装置のカバーのロック機構におけるガタの大きさを抑制でき、かつ容易にロック機構を作用させることを可能とする。【解決手段】プリント装置は、プリントユニットと、プリントユニットを覆う筐体と、筐体に対して開閉可能に設けられた、閉じたときに前記筐体との間に開口を形成するカバーと、筐体とカバーの一方に設けられたロック部材と、筐体とカバーの他方に設けられた、ロック部材と係合可能な係合部と、を有し、係合部は階段形状の複数の段差を備える。【選択図】図７
2017154467.tif 000002
【特許請求の範囲】
【請求項１】
プリントユニットと、
前記プリントユニットを覆う筐体と、
前記筐体に対して開閉可能に設けられた、閉じたときに前記筐体との間に開口を形成するカバーと、
前記筐体と前記カバーの一方に設けられたロック部材と、
前記筐体と前記カバーの他方に設けられ前記ロック部材と係合する係合部とを有し、前記係合部は階段形状の複数の段差を備えることを特徴とするプリント装置。
【請求項２】
前記階段形状は、立ち面と斜面が交互に連続する形状であることを特徴とする請求項１に記載のプリント装置。
【請求項３】
前記ロック部材はエッジの形状のロック部を有し、前記エッジが前記係合部の複数の段差のいずれかにおける立ち面と当接することを特徴とする請求項２に記載のプリント装置。
【請求項４】
前記複数の段差が連続する方向における、前記前記ロック部材の寸法は、１つの前記立ち面の寸法より大きいことを特徴とする請求項２または３に記載のプリント装置。
【請求項５】
前記ロック部材は、前記筐体の一部によって回動可能に支持され、駆動手段による一の方向の回動によって前記カバーにおける係合部と係合し、付勢部材による前記一の方向と逆方向の回動によって元の位置に戻ることを特徴とする請求項１ないし４のいずれかに記載のプリント装置
【請求項６】
前記カバーは、天面と前面の二面で構成されるとともに、前記カバーの開閉は回動により行われることを特徴とする請求項１ないし５のいずれかに記載のプリント装置
【請求項７】
前記係合部の前記斜面は、前記ロック部材の回動の支点を中心とする回動軌跡より外側に位置することを特徴とする請求項２に記載のプリント装置
【請求項８】
ユーザーが挿し入れた物または指が前記開口から前記プリントユニットに進入することを妨げるための壁部材をさらに有し、前記係合部は、前記壁部材の一部に設けられたことを特徴とする請求項１ないし７のいずれかに記載のプリント装置。
【請求項９】
前記開口は、プリントされたシートを排出するための排紙口であることを特徴とする請求項１ないし８のいずれかに記載のプリント装置。
【請求項１０】
処理部を覆う筐体と、
前記筐体に対して開閉可能に設けられたカバーと、
前記筐体と前記カバーの一方に設けられたロック部材と、
前記筐体と前記カバーの他方に設けられ前記ロック部材と係合する係合部とを有し、前記係合部は階段形状の複数の段差を備えることを特徴とする処理装置。
【発明の詳細な説明】
【技術分野】
【０００１】
本発明は、装置に対するカバーを備えたプリント装置などの処理装置に関するものである。
【背景技術】
【０００２】
プリント装置などの処理装置は、装置に対して開閉可能なカバーを閉状態に固定するためのロック機構を備えている。このロック機構の一構成は、特許文献１に記載のように、装置本体に設けられたロック部材を、カバーに設けられた係合部に係合させてカバーの閉状態を固定するものである。
【先行技術文献】
【特許文献】
【０００３】
【特許文献１】特開２００６−２４８０２５号公報
【発明の概要】
【発明が解決しようとする課題】
【０００４】
このようなロック機構では、ロック部材やカバーの取付け位置精度など様々な要素のバラツキを考慮し、係合部の大きさを係合するロック部材のサイズより大きくすることが一般的である。これにより、係合に一定のガタを設け、上記バラツキがあっても容易にロック機構を作用させることができる。しかしながら、このようなガタがあると、その分だけカバーが動くことが可能となる。
【０００５】
例えば、カバーを閉じた状態でシートの排紙口を構成するプリント装置にあっては、排紙口とガタ分によって形成される隙間から、ユーザーが物や指などを差し込むことが想定される。すると、差し込んだ物がプリント装置内のキャリッジに触れ、プリント動作を妨げる可能性がある。
【０００６】
本発明は、カバーのロック機構におけるガタの大きさを抑制でき、かつ容易にロック機構を作用させることを可能とするプリント装置および処理装置を提供することを目的とする。
【課題を解決するための手段】
【０００７】
上記課題を解決するために本発明は、プリント装置において、プリントユニットと、前記プリントユニットを覆う筐体と、前記筐体に対して開閉可能に設けられた、閉じたときに前記筐体との間に開口を形成するカバーと、前記筐体と前記カバーの一方に設けられたロック部材と、前記筐体と前記カバーの他方に設けられた、前記ロック部材と係合可能な係合部と、を有し、前記係合部は階段形状の複数の段差を備えることを特徴とする。
【発明の効果】
【０００８】
以上の構成によれば、プリント装置などの処理装置において、カバーのロック機構におけるガタの大きさを抑制でき、かつ容易にロック機構を作用させることが可能となる。
【図面の簡単な説明】
【０００９】
【図１】本発明の一実施形態に係るインクジェットプリント装置を示す斜視図である。
【図２】プリント装置の装置カバーを閉じた状態を示す斜視図である。
【図３】第１実施形態のアクセスカバーに設けられた保護壁部を説明する断面図である。
【図４】第１実施形態のアクセスカバーのロック機構の詳細な構成を示す斜視図である。
【図５】第１実施形態のアクセスカバーのロック機構を、アクセスカバーの除いて示す正面図である。
【図６】第１実施形態のアクセスカバーのロック機構を、ロックが掛かった状態を示す斜視図である。
【図７】第１実施形態のアクセスカバーのロック機構を、ロックが掛かった状態でアクセスカバーの除いて示す正面図である。
【図８】第１実施形態のアクセスカバーのロック機構における、ロック部と階段状の係合部との係合の詳細を示す図である。
【図９】第２実施形態のアクセスカバーのロック機構を、ロックが掛かった状態を示す斜視図である
【図１０】第２実施形態のアクセスカバーのロック機構を、ロックが掛かった状態でアクセスカバーの除いて示す正面図である。
【発明を実施するための形態】
【００１０】
以下、図面を参照して本発明の実施形態を詳細に説明する。  
（第１実施形態）
図１および図２は、本発明の一実施形態に係るインクジェットプリント装置の概略を示す斜視図であり、図１は装置のカバーを開いた状態、図２は装置カバーを閉じた状態をそれぞれ示している。
【００１１】
これら図において、プリント装置１００はプリントユニット１０２を備える。プリントユニット１０２の主要部となるのは、ガイド軸１０６に沿って移動可能なキャリッジと、このキャリッジに搭載されたプリントヘッドである。プリントヘッドは、複数色のインクをインクジェット方式で吐出する。キャリッジには、プリントヘッドに供給するインクをそれぞれ貯留したインクタンクが搭載される。なお、インクタンクはキャリッジ上に搭載せずに、インクチューブによりキャリッジに対して供給する構成にしてもよい。また、プリントユニットはインクジェット方式とは別の方式であってもよい。
【００１２】
キャリッジはガイド軸１０６に沿って往復移動し、プリントヘッドによる記録媒体であるシート１０１に対する走査を行うことができる。シート１０１は、不図示のロールの形態で巻き取られており、プリント時にロールから給送される。そして、シート１０１は搬送ローラ（不図示）によってプラテン１０３上を搬送される。この搬送の間に、シート１０１のプラテン１０３に対応する領域に、プリントユニット１０２の走査によってプリントが行われ、シリアルプリント方式でプリントが行われる。プリントがなされたシート１０１は、筐体と装置カバーであるアクセスカバー１１０の間に形成される開口である排紙口１０５から排出される。排出口１０５の手前近傍にはカッタ１０７が設けられており、プリントされた領域のシート１０１の後端を切断し、切断されたシート１０１は排紙口１０５から排出されて、布製のバスケット１０４に落下収容される。なお、図１において、カッタ１０７は模式的に示されている。
【００１３】
アクセスカバー１１０は、上述したプリントユニット１０２などのプリント機構の全体を内蔵して覆う筐体に対して開閉可能に設けられている。アクセスカバー１１０は、天面１１０ａと前面１１０ｂとの二面で構成されており、樹脂等の可撓性がある材質で作られている。また、軸１１０ｃ（図３）によって支持されて回動することで、開、閉動作が可能となり、閉じると筐体の開放部分である装置の上部および、排紙口１０５を除いて前部を覆う。プリント動作は、図２に示すアクセスカバー１１０が閉じた状態で行われる。インクタンクやヘッド交換などのプリント部のメンテナンスの際には、ユーザーがアクセスカバー１１０を開けてメンテナンスを行う。つまり、アクセスカバー１１０は、これを開けた状態（図１）で、ユーザーが、プリントユニット１０２におけるインクタンクの交換や、紙詰まりを起したシートのジャム解消などのメンテナンス作業を行うためのものである。アクセスカバー１１０が閉じた状態（図２）でのプリント動作の際にジャムが起きたときは、軽度のジャムであれば、アクセスカバー１１０を閉じたままで、ユーザーは排紙口１０５から手を入れてシートを引っ張り出す回復処理が可能となる。それでは回復し切れない重度のジャムの場合には、ユーザーはアクセスカバー１１０を開けて回復処理を行う。
【００１４】
アクセスカバー１１０には、アクセスカバー１１０の全面の裏側には保護壁部１１１（壁部材）が形成されている。そして、図１に示すように、保護壁部１１１の片方の端部（図１において、左側の端部）には、図３以降で後述される、アクセスカバー１１０のロック機構を構成する係合部１１１ｂが設けられている。
【００１５】
図３は、本発明の第１実施形態に係る、アクセスカバー１１０に設けられた保護壁部１１１を説明する断面図である。図３に示すように、保護壁部１１１は、アクセスカバー１１０の前面１１０ｂの裏側の面に設けられる。保護壁部１１１が設けられる位置は、アクセスカバー１１０が閉じた状態で、シート１０１の搬送方向において、プリントユニット１０２の走査領域より下流側であり、下流プラテン１０８の上方である。保護壁部１１１の先端１１１ａと下流プラテン１０８の隙間を狭くする構成とすることにより、ユーザーが挿し入れた物や指などが筐体内部に進入することを防止することができる。また、保護壁部先端１１１ａは、主走査方向においては、排紙口１０５の略全域に対応して形成されている（図１）。
【００１６】
保護壁部１１１に設けられた、ロック機構を構成する係合部１１１ｂは、斜面に複数の連続する階段が形成されたものである。ロック部（不図示）がこの階段の１つ（係合部分）に係合することによりロック機構が作用し、アクセスカバー１１０を装置本体の筐体に固定することができる。
【００１７】
図４は、アクセスカバーのロック機構の詳細な構成を示す斜視図である。また、図５は、ロック機構をアクセスカバー１１０の除いて示す正面図である。図４および図５は、アクセスカバーのロック機構が作用していない状態、すなわち、アクセスカバー１１０が回動可能である状態を表している。図４および図５において、１２０はアクセスカバー１１０の回動をロックするロックレバー（ロック部材）、１２１はロックレバー１２０を電気的に回動させるソレノイド（駆動部）をそれぞれ示す。また、１２２はソレノイド１２１の通電が切られたときにロックしない位置にロックレバー１２０を戻すバネ（付勢部材）、をそれぞれ示している。ロックレバー１２０は、ロックレバー１２０に設けられた軸１２０ａの回りに回動可能に構成されている。ロックレバー１２０の長穴１２０ｂとソレノイド１２１のピン１２１ａが嵌合している。これにより、ロックレバー１２０は、ソレノイド１２１の動作に応じて軸１２０ａの回りに回動することができる。ロックレバー１２０の突起部１２０ｃにはバネ１２２が引掛けられ、これにより、ロックレバー１２０をロックしない位置へ付勢することができる。ロックレバー１２０の先端には、ロック部１２０ｄが形成されており、このロック部は、アクセスカバー１１０をロックする際に、階段状の係合部１１１ｂと係合することができる。
【００１８】
図６および図７は、図４および図５とそれぞれ同様の図であり、これらの図は、アクセスカバーのロック機構が作用していない状態、すなわち、アクセスカバーが装置本体に固定された状態を示している。また、図８は、ロック機構における、ロック部１２０ｄと階段状の係合部１１１ｂとの係合の詳細を示す図である。
【００１９】
これらの図に示すように、記録動作が開始された場合や、起動時のイニシャライズ等で、プリントユニット１０２が移動するときは、ソレノイド１２１に通電され、ピン１２１ａが引っ張られる。これにより、ロックレバー１２０が軸１２０ａを中心に、バネ１２２の付勢力に抗して反時計回りに回動する。この回動によって、ロックレバー１２０の先端のロック部１２０ｄが、階段状の係合部１１１ｂの一部に当接する。係合部１１１ｂは、複数の段差を有する階段形状であり、立ち面１１１ｃと斜面１１１ｄとが交互に形成されたものである。ロックレバー１２０のロック部１２０ｄは、係合部１１１ｂの複数の立ち面１１１ｃのいずれかに当接し、ソレノイド１２１が通電されている限り、このロック状態が維持される。このとき、保護壁部１１１の先端１１１ａと下流プラテン１０８の隙間から、ユーザーが物や指などを挿し入れようとしても、アクセスカバー１１０は、軸１１０ｃを中心に回動する通常の動きとは異なる動きをする。保護壁部１１１の先端１１１ａが、プリント装置１００の奥側および上方向に力を受けるため、可撓性があるアクセスカバー１１０は、天面１１０ａと前面１１０ｂの交点付近を中心に、奥側に変形しながら、係合部１１１ｂが上方向に持ち上がる。しかし、ロックレバー１２０のロック部１２０ｄの下端が係合部１１１ｂの斜面１１１ｄと立ち面１１１ｃの交点に当接し、それ以上先端１１１ａが上昇することを抑制する。これにより、保護壁部１１１の先端１１１ａと下流プラテン１０８の隙間が広がることはない。このように、アクセスカバーのロック状態における物や指などの進入を防止することができる。
【００２０】
より詳細には、本発明の第１実施形態によれば、階段状の係合部１１１ｂにおける１つの立ち面１１１ｃの寸法ｄが、本実施形態のロック機構におけるガタの量に対応することになる。ロック作用のときロックレバー１２０先端のロック部１２０ｄは、係合部１１１ｂのいずれかの立ち面１１１ｃに当接し、その立ち面でロック状態が維持される。すなわち、アクセスカバー１１０と、係合する部分の寸法Ｄを有するロックレーバー１２０とは、従来と同様、所定のガタを設けて構成されている。そして、そのガタによって、アクセスカバー１１０（係合部１１１ｂ）のロックレバーに対する相対位置が、図８に示す位置より高くなったとする。この場合でも、ロックレバー１２０先端のロック部１２０ｄは、係合部１１１ｂの、図８に示す位置よりより低い位置の立ち面１１１ｃに当接し、同様のロック状態を維持する。換言すれば、ロックレバーとアクセスカバーが従来技術によるガタ（図８の寸法Ｄに対応するガタ）を有して構成することにより、ロックレバーによるロック作用を容易に行うことができる。その一方で、ロック状態におけるロック部と係合部との係合におけるガタを立ち面の寸法ｄに対応するより小さな量とすることができる。なお、本実施形態では、立ち面１１１ｃの寸法は１ｍｍ以下に設定される。一方、斜面１１１ｄの寸法が小さ過ぎると、ロックが不完全になる恐れがあるので、斜面１１１ｄの寸法は、立ち面１１１ｃの寸法より、大きくする。
【００２１】
記録が終了した後は、ソレノイド１２１への通電が遮断される。これにより、ロックレバー１２０は、バネ１２２の力で、軸１２０ａを中心に時計回り（逆方向）に回動し、元の位置に戻る。このとき、係合部１１１ｂの斜面１１１ｄは、ロックレバー１２０の回動支点を中心とするロック部１２０ｄの先端の回動軌跡１２０ｅより下側（外側）に位置するように形成されているので、ロック部１２０ｄは抵抗なく回動することができる。
【００２２】
アクセスカバーロック部は、部品の寸法公差、取付公差、カバーの反り等で、係合部１１１ｂとロックレバー１２０の位置関係は、様々で同じにはならない。そのような場合でも、係合部１１１ｂが階段形状になっていることで、最大でも係合部１１１ｂの立ち面１１１ｃの小さい寸法以内で衝突するので、ロック時のガタを小さくすることができる。その結果、ユーザーによる物や指などを装置内部への進入を防止することが可能となる。
【００２３】
なお、上記実施形態では、プリントヘッドを搭載するキャリッジは走査する構成であるが、走査しない所謂ラインヘッドであってもよい。また、記録媒体であるシートがカット紙であってもよい。
【００２４】
（第２実施形態）
図９および図１０は、本発明の第２実施形態のアクセスカバーのロック機構を、ロックが掛かった状態を示す斜視図および正面図であり、第１実施形態に係る図６および図７と同様の図である。なお、第１実施形態と同じ構成部品に関しては、同じ符号を付してその説明は省略する。
【００２５】
第１実施形態のアクセスカバーロック機構は、一方のアクセスカバーにおける係合部が階段形状であり、他方のロックレバーのロック部がエッジ形状であるが、本実施形態は、この関係が逆の関係である。すなわち、ロックレバー１３０の先端に階段形状の係合部１３０ｄが設けられ、アクセスカバー１１０の保護壁部１３１の端部にエッジ形状のカバーロック部（ロック部）１３１ｄが設けられる。より詳しくは、ロックレバー１３０の係合部１３０ｄは、立ち面１３０ｃと斜面部１３０ｄが交互に連続することによって形成される。そして、ロック時には、カバーロック部１３１ｄは、この係合部１３０ｄにおける複数の立ち面１３０ｃのいずれかと当接した状態となる。１３０ｅは、ロックレバー１３０の係合部１３０ｄにおける斜面部と立ち面との接合部の、ロックレバーの回転に伴う軌跡を示している。
【００２６】
なお、上述した実施形態では、プリント装置におけるカバーのロック機構を例に説明したが、本発明の適用はこの形態に限られない。本発明はプリントユニット以外の処理部を持った種々の処理装置、例えばスキャナ装置や工作機械などにおけるカバーのロック機構にも適用することができる。
【符号の説明】
【００２７】
１１０    アクセスカバー
１１１    保護壁部
１１１ｂ    係合部
１１１ｃ、１３０ｃ    立ち面
１１１ｄ、１３０ｄ    斜面
１２０、１３０    ロックレバー
１２０ｄ、１３１ｄ    係合部
【図１】
2017154467.tif 000003
【図２】
2017154467.tif 000004
【図３】
2017154467.tif 000005
【図４】
2017154467.tif 000006
【図５】
2017154467.tif 000007
【図６】
2017154467.tif 000008
【図７】
2017154467.tif 000009
【図８】
2017154467.tif 000010
【図９】
2017154467.tif 000011
【図１０】
2017154467.tif 000012